【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段と、
前記メイン制御手段から情報が送信され、演出の出力を制御するサブ制御手段とを備え、
前記メイン制御手段は、リプレイの当選及び特定小役の当選を有するように役の抽選を行う役抽選手段を備え、
前記リプレイの当選時は、ストップスイッチの押し順にかかわらず、前記リプレイに対応する図柄の組合せを停止させ、
前記特定小役の当選時に、前記ストップスイッチの操作情報が報知され、その操作情報に従って前記ストップスイッチを操作したときは、有利な図柄の組合せを停止させることができ、
前記特定小役の当選時に、前記ストップスイッチの前記操作情報を報知する報知遊技を有し、
前記サブ制御手段は、前記報知遊技を実行する条件を満たしたときは、その終了条件を満たすまで前記報知遊技を実行し、
前記メイン制御手段は、前記リプレイの当選時に、前記ストップスイッチの押し順を決定し、その押し順の情報をサブ制御手段に送信し、
前記サブ制御手段は、前記報知遊技を開始したときは、受信した押し順を報知し、
前記メイン制御手段は、前記リプレイの当選時に、決定した押し順で前記ストップスイッチが操作された遊技が所定回数となったときは、前記報知遊技の実行に関する所定の処理を実行する
ことを特徴とするスロットマシン。
【請求項２】
遊技の進行を制御するメイン制御手段と、
前記メイン制御手段から情報が送信され、演出の出力を制御するサブ制御手段とを備え、
前記メイン制御手段は、リプレイの当選及び特定小役の当選を有するように役の抽選を行う役抽選手段を備え、
前記リプレイの当選として、ストップスイッチの押し順が一の押し順であるときはリプレイに対応する一の図柄の組合せを停止させ、他の一の押し順であるときはリプレイに対応する他の一の図柄の組合せを停止させるリプレイ特定当選を有し、
前記特定小役の当選時に、前記ストップスイッチの操作情報が報知され、その操作情報に従って前記ストップスイッチを操作したときは、有利な図柄の組合せを停止させることができ、
前記特定小役の当選時に、前記ストップスイッチの前記操作情報を報知する報知遊技を有し、
前記サブ制御手段は、前記報知遊技を実行する条件を満たしたときは、その終了条件を満たすまで前記報知遊技を実行し、
前記サブ制御手段は、前記報知遊技を開始したときは、前記リプレイ特定当選となった遊技で、前記一の押し順を報知し、
前記メイン制御手段は、前記リプレイ特定当選となったときに前記一の押し順で前記ストップスイッチが操作された遊技が所定回数となったときは、前記報知遊技の実行に関する所定の処理を実行する
ことを特徴とするスロットマシン。
【請求項３】
請求項１又は請求項２に記載のスロットマシンにおいて、
前記報知遊技の実行に関する前記所定の処理とは、前記報知遊技を開始した旨の情報を前記スロットマシンの外部に送信する処理である
ことを特徴とするスロットマシン。
【請求項４】
請求項２、又は請求項２を引用する請求項３に記載のスロットマシンにおいて、
前記メイン制御手段は、前記リプレイ特定当選時に、前記一の図柄の組合せが停止したときは遊技状態を移行せず、前記他の一の図柄の組合せが停止したときは遊技状態を移行するように制御し、
前記サブ制御手段は、前記報知遊技を開始し、前記メイン制御手段により前記報知遊技の実行に関する前記所定の処理が実行された後、前記リプレイ特定当選時に、前記他の一の押し順を報知する
ことを特徴とするスロットマシン。
【請求項５】
請求項４に記載のスロットマシンにおいて、
前記報知遊技は、前記報知遊技の開始時における遊技状態と、前記他の一の図柄の組合せが停止したときに移行する他の遊技状態とを有し、
前記役抽選手段は、前記報知遊技の開始時における遊技状態では、前記他の遊技状態よりも、前記リプレイ特定当選の確率を高く設定している
ことを特徴とするスロットマシン。
【手続補正２】
【補正対象書類名】明細書
【補正対象項目名】０００１
【補正方法】変更
【補正の内容】
【０００１】
本発明は、サブ制御手段側で行われる報知遊技に基づいて、メイン制御手段側で所定の処理を実行するスロットマシンに関するものである。
【手続補正３】
【補正対象書類名】明細書
【補正対象項目名】０００２
【補正方法】変更
【補正の内容】
【０００２】
従来のスロットマシンにおいて、メイン制御手段とサブ制御手段とを有し、メイン制御手段からサブ制御手段に情報を送信するとともに、サブ制御手段側で報知遊技（ＡＴ）を実行するスロットマシンが知られている（例えば、特許文献１参照）。
【手続補正４】
【補正対象書類名】明細書
【補正対象項目名】０００３
【補正方法】変更
【補正の内容】
【０００３】
【特許文献１】特開２０１０−１８３９５４号公報
【手続補正５】
【補正対象書類名】明細書
【補正対象項目名】０００４
【補正方法】変更
【補正の内容】
【０００４】
前述の従来の技術において、メイン制御手段は、サブ制御手段側で報知遊技を実行しているか否かを知ることができなかった。
【手続補正６】
【補正対象書類名】明細書
【補正対象項目名】０００５
【補正方法】変更
【補正の内容】
【０００５】
本発明が解決しようとする課題は、サブ制御手段側で報知遊技を実行しているか否かをメイン制御手段側で知ることである。
【手続補正７】
【補正対象書類名】明細書
【補正対象項目名】０００６
【補正方法】変更
【補正の内容】
【０００６】
本発明は、以下の解決手段によって、上述の課題を解決する。なお、かっこ書きにて、対応する実施形態を示す。
請求項１の発明（＜第９実施形態＞の（第１例）に相当）は、
遊技の進行を制御するメイン制御手段（６０）と、
前記メイン制御手段から情報が送信され、演出の出力を制御するサブ制御手段（７０）とを備え、
前記メイン制御手段は、リプレイの当選（リプレイＡの単独当選）及び特定小役の当選（小役３Ａの重複当選）を有するように役の抽選を行う役抽選手段（６１）を備え、
前記リプレイの当選時は、ストップスイッチ（４２）の押し順にかかわらず、前記リプレイに対応する図柄の組合せ（リプレイＡの図柄の組合せ）を停止させ、
前記特定小役の当選時に、前記ストップスイッチの操作情報（１２枚の払出しとなる押し順）が報知され、その操作情報に従って前記ストップスイッチを操作したときは、有利な図柄の組合せ（１２枚の払出しの入賞態様）を停止させることができ、
前記特定小役の当選時に、前記ストップスイッチの前記操作情報を報知する報知遊技（Ｅｘ．チャンス）を有し、
前記サブ制御手段は、前記報知遊技を実行する条件を満たしたときは、その終了条件を満たすまで前記報知遊技を実行し、
前記メイン制御手段は、前記リプレイの当選時に、前記ストップスイッチの押し順を決定し、その押し順の情報をサブ制御手段に送信し、
前記サブ制御手段は、前記報知遊技を開始したときは、受信した押し順を報知し、
前記メイン制御手段は、前記リプレイの当選時に、決定した押し順で前記ストップスイッチが操作された遊技が所定回数となったときは、前記報知遊技の実行に関する所定の処理（Ｅｘ．チャンスを開始した旨の情報を外部に送信すること）を実行する
ことを特徴とする。
【手続補正８】
【補正対象書類名】明細書
【補正対象項目名】０００７
【補正方法】変更
【補正の内容】
【０００７】
請求項２の発明（＜第９実施形態＞の（第２例）に相当）は、
遊技の進行を制御するメイン制御手段（６０）と、
前記メイン制御手段から情報が送信され、演出の出力を制御するサブ制御手段（７０）とを備え、
前記メイン制御手段は、リプレイの当選（リプレイの重複Ｂ群の当選）及び特定小役の当選（小役３Ａの重複当選）を有するように役の抽選を行う役抽選手段（６１）を備え、
前記リプレイの当選として、ストップスイッチの押し順が一の押し順であるときはリプレイに対応する一の図柄の組合せ（リプレイＡの図柄の組合せ）を停止させ、他の一の押し順であるときはリプレイに対応する他の一の図柄の組合せ（リプレイＤ又はＥの図柄の組合せ）を停止させるリプレイ特定当選を有し、
前記特定小役の当選時に、前記ストップスイッチの操作情報（１２枚の払出しとなる押し順）が報知され、その操作情報に従って前記ストップスイッチを操作したときは、有利な図柄の組合せ（１２枚の払出しの入賞態様）を停止させることができ、
前記特定小役の当選時に、前記ストップスイッチの前記操作情報を報知する報知遊技（Ｅｘ．チャンス）を有し、
前記サブ制御手段は、前記報知遊技を実行する条件を満たしたときは、その終了条件を満たすまで前記報知遊技を実行し、
前記サブ制御手段は、前記報知遊技を開始したときは、前記リプレイ特定当選となった遊技で、前記一の押し順（リプレイＡを入賞させる押し順）を報知し、
前記メイン制御手段は、前記リプレイ特定当選となったときに前記一の押し順で前記ストップスイッチが操作された遊技が所定回数となったときは、前記報知遊技の実行に関する所定の処理（Ｅｘ．チャンスを開始した旨の情報を外部に送信すること）を実行する
ことを特徴とする。
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】変更
【補正の内容】
【００１７】
本発明によれば、メイン制御手段で決定した押し順でストップスイッチが操作されたか否かを判断することにより、サブ制御手段で報知遊技が実行されているか否かを知ることができる。これにより、メイン制御手段側で、報知遊技の実行に関する所定の処理を適切に行うことができる。